(57)【要約】【課題】従来の一般的なカラー映像機器においては、特定の色を選択的に調整することができないという課題があり、特殊な機器として特定色を選択的に変化させることが可能な機器においても、調整方法が複雑で、機器使用者が直感的・高速に色調整を行うことが困難であるという課題がある。【解決手段】色相軸上で、３原色や３原色の中間色、またはその組合わせなどのあまり多くない数の色相軸に分割し、１つの色相軸を選択できるようにした上で、選択した色相軸について媒介変数の連続的な調整を行なえるようにすることで、従来は不可能であった、色相軸で示される特定色の媒介変数の選択的な調整を簡単に、また直感的に調整することが可能となる。【選択図】　図１
2004064198.tif 000002
【特許請求の範囲】
【請求項１】
カラー映像機器において、色度図における色相軸上を複数に分割し、分割された色相軸の中から選択された色相軸ごとに色相及び又は明度及びまたは色彩度を調整可能としたことを特徴とする、色調整装置。
【請求項２】
モニター表示手段を有し、色相軸に対する色相及び又は明度及びまたは色彩度の調整値、及びまたは色調整前後における該色相軸の色映像の変化をモニター表示することを特徴とする、請求項１の色調整装置。
【請求項３】
選択された色相軸、及び又は全色相軸を一括して工程出荷初期状態などのデフォルト状態、または調整前状態に戻す手段を有する事を特徴とする、請求項１、２の色調整装置。
【請求項４】
カラー映像機器にはメニュー表示手段を有し、カラー映像機器本体またはリモコン装置の操作にてメニュー画面上で色変換を行うことを特徴とする、請求項１乃至３の色調整装置。
【請求項５】
色相軸は３原色、または３原色の中間色、または３原色とその中間色に分割することを特徴とする、請求項１乃至４の色調整装置。
【発明の詳細な説明】
【０００１】
【発明の属する技術分野】
本発明は、カラーテレビやカラー映像投影装置やカラープリンタなど、カラー映像を取り扱う機器において、映像内の特定の目標色の色変換に関する技術である。
【０００２】
【従来の技術】
従来の技術では、カラー映像機器における色調整は、全色に亘って媒介変数（色相、色彩度、明度）を一律に調整する方法が一般的であり、「赤色のみを強調する」「青色を紫色系に変化させる」など、特定色を選択的に調整することが不可能であった。
【０００３】
また、特殊な機器として特定色を選択的に変化させることが可能なインターフェイスを有する機器においても、３次元で示される色度図をそのままの形で２次元平面に写像した形であるため、機器使用者が自分のイメージに基づいて直感的に、また高速に調整を行なうことが極めて困難であった。
【０００４】
【発明が解決しようとする課題】
上述のように、従来の一般的なカラー映像機器においては、特定の色を選択的に調整することができないという課題があり、特殊な機器として特定色を選択的に変化させることが可能な機器においても、調整方法が複雑で、機器使用者が直感的・高速に色調整を行うことが困難であるという課題がある。
【０００５】
本発明は、色相・色彩度・明度にて規定される色度図内における色変換のうち、目標色を別の色に置換するなど、色相・色彩度・明度（媒介変数）の複雑な調整が必要な色変換を、ユーザーが容易に、またイメージ通りに行なうことを目的とする。
【０００６】
【課題を解決するための手段】
第１の本発明においては、カラー映像装置において、色度図における色相軸上を複数に分割し、分割された色相軸の中から選択された色相軸ごとに色相及び又は明度及びまたは色彩度を調整可能としたことを特徴とする。
【０００７】
第２の本発明においては、第１の本発明の色調整装置において、モニター表示手段を有し、色相軸に対する色相及び又は明度及びまたは色彩度の調整値、及びまたは色調整前後における該色相軸の色映像の変化をモニター表示することを特徴とする。
【０００８】
第３の本発明においては、第１、第２の本発明の色調整装置において、選択された色相軸、及び又は全色相軸を一括して工程出荷初期状態などのデフォルト状態または調整前状態に戻す手段を有する事を特徴とする。
【０００９】
第４の本発明においては、第１乃至第３の本発明の色調整装置において、カラー映像機器にはメニュー表示手段を有すし、カラー映像機器本体またはリモコン装置の操作にてメニュー画面上で色変換を行うことを特徴とする。
【００１０】
第５の本発明においては、第１乃至第４の本発明の色調整装置において、色相軸は３原色、または３原色の中間色、または３原色とその中間色に分割することを特徴とする。
【００１１】
【発明の実施の形態】
本発明の映像色調整装置を搭載した液晶プロジェクターの実施形態として図１乃至図６とともに説明する。
【００１２】
図１は色度図である。色度図は一般的に、図１のような円錐形で示す場合や円柱形で示す場合や２次元平面で示す場合があるが、ここでは明度は暗くなるほど色相と色彩度の判別が付きにくくなると云う人間の目の一般的な視覚特性を把握しやすい円錐形で示している。
【００１３】
図２は色度図上の色相分割と色相軸調整状態を表す図で、図１の円錐断面図に相当する。ここでは、色相を６分割し各６０°として方位角に対応させ表示しており、色相軸ａを黄色、色相軸ｂを赤色、色相軸ｃをマゼンタ、色相軸ｄを青色、色相軸ｅをシアン、色相軸ｆを緑色として説明する。分割数はあまり多くなく使用者が容易に判断・選択しやすい数として、６分割で図示しているが、６分割に限定するものではない。
【００１４】
図３はスクリーン上のメニュー画面を表し、（ａ）はリモコンのメニューボタンにより表示される画面で、（ｂ）はリモコンの決定ボタン（「ＣＭＳ」を選択）により表示される画面である。
【００１５】
図４は色調整時の、メニュー表示画面を表す。表示画面を表す。図５はモニタタリング時のメニュー表示画面を表す。
【００１６】
図１乃至図５とともに色調整操作に関し説明する。
【００１７】
ユーザーが図示しない液晶プロジェクターの電源をオンすることで、スクリーン上には映像が投影され、図示しないリモコンのメニューボタンを押すことでスクリーン上には図３に示すメニュー画面が表示される。
【００１８】
メニュー画面にはカラーマネージメント（以下ＣＭＳ）メニュー２ｂを含めた複数の調整項目メニュー２ａ、２ｂ、２ｃ、２ｄ、２ｅ、２ｆとサブメニュー４とカーソル３が表示される。
【００１９】
ユーザーはリモコン上のカーソルボタンを操作し、カーソル３を「ＣＭＳ」メニュー２ｂ上に移動してリモコン上の決定ボタンを押すことで「ＣＭＳ」のサブメニュー４が拡大表示される。
【００２０】
つぎにユーザーはリモコン上のカーソルボタンを操作しサブメニュー４の中から「色調整モード」４ａを選択しリモコン上の決定ボタンをおすことで、スクリーン上には図４に示す詳細設定メニュー画面５が表示される。
【００２１】
つぎに詳細設定メニュー画面５の「選択色」５ａにリモコン操作によりカーソル３を合わせ決定ボタンにて色選択のモードになる。色選択のモードではリモコン上のカーソルボタンを押すごとに色相軸ａからｆに相当する分割色である黄色から緑色までの色名がトグル式で表示され、目的色名が表示された時にリモコンの決定ボタンを押すことで、選択色が決定される。図４では色相軸ａの「黄色」が選択された状態が表示されている。
【００２２】
つぎに、選択した色に関する媒介変数（色相・色彩度・明度）を調整する。調整方法は、リモコン上のカーソルボタン操作によりカーソル３を色相５ｄまたは色彩５ｅまたは明度５ｆに移動させ決定ボタンを押して項目を選択する。
【００２３】
例えば色相５ｄを調整する場合、色相５ｄ欄のスライドバー５ｈをリモコンのカーソル操作により左右に動かす（スライドバー５ｈの長さが可変される）ことで色相を変化させ、適当な位相で決定ボタンを押すことで位相が設定されることになる。色彩度５ｅと明度５ｆも同様の操作で選択設定される。
【００２４】
媒介変数調整の色度図上との関係は、図２に示すように、いま色相軸ａ１としての黄色を選択し色相の調整を行った場合は、図２の色度図上では、実線の色相軸ａ１が選択され、色相軸ａ１は破線のようにＢの方向で調整される。
【００２５】
色彩度の調整を行う場合は、図２の太実線で示す扇形が、その頂点を固定してＡ方向に相似拡大／縮小するように調整される。明度の調整を行う場合は、図１に示す円錐の切断箇所が円錐の垂線方向（「明度」の方向）を動くように調整される。所望の調整が完了しユーザーがリモコンのメニューボタンを押してメニューモードを閉じることで、調整内容が図示しないメモリーに保存されることになる。
【００２６】
図５は色調整のモニター例であるが、例えば色相軸の調整のあとメニューモードを終了する前にリモコン上のメニュー戻りボタンでサブメニュー４を表示され、サブメニュー４において色調整モニター４ｂを選択することでスクリーン上に図５の色調整モニター画面６が表示される。
【００２７】
図５では各色相軸ａ乃至ｆに対する媒介変数の調整値６ｃと、色変換前モニタ６ａと色変換後モニタ６ｂとして各色相軸ａ乃至ｆの色変化が確認できるように設定前後の色表示がされている。このようにユーザーは色調整モニター画面６で設定状態を確認したのちに、リモコンのメニューボタンを押してメニューモードを閉じて調整内容を保存することも可能である。
【００２８】
モニタリングの方法は図４に示す詳細設定メニュー画面５での調整中に色表示を行う方法や、図５の色調整モニター画面６でセット初期値との比較表示を行なうなどの各種方法があり、本実施形態に限定されるものではない。
【００２９】
また、媒介変数の調整結果はメモリーに保存されることになるが、メモリー内でも図５の表に示すような配列状の記憶領域が用意され、各色相軸ａ乃ｆ６に対する３つの媒介変数値が記録される。なお、メモリーは、装置電源をオフしても記録内容が失われないように不揮発性のメモリーを用いている。
【００３０】
また、図４の詳細設定メニュー画面５に示すように、初期化メニューとして「選択色の初期化」５ｇと「全初期化」５ｃが用意されており、適宜選択して工場出荷時の調整値などのデフォルト値への変更を容易に実行可能としている。
【００３１】
この様に、本発明によると、本来連続的な媒介変数である色相を、３原色や３原色の中間色、またはその組合わせなどのあまり多くない数の色相軸に分割し、ユーザーがいくつかの色相軸から１つの色相軸を選択できるようにした上で、選択した色相軸について媒介変数の連続的な調整を行なえるようにすることで、従来は不可能であった、色相軸で示される特定色の媒介変数の選択的な調整を簡単に、また直感的に調整することが可能となる。
【００３２】
更に、図４に示す、色の変換状況のモニターや調整値リセット方法で、ユーザーは設定結果を視覚的に確認できることや、複雑な調整を行なった後でも、いつでもデフォルト状態に戻ることができるため、ユーザーは安心して調整を行うことができる。
【００３３】
【発明の効果】
本発明によれば、色相・色彩度・明度にて規定される色度図内における色変換のうち、目標色を別の色に変換するなど、色相・色彩度・明度の複雑な調整が必要な色変換を、ユーザーが容易に且つイメージ通りに行なうことが可能となる。
【００３４】
また、モニタリングを可能とすることで、ユーザーの設定結果を視覚的に確認でき、目的通りの色変換を確実に実行できる。
【００３５】
また、色相軸として、３原色や３原色の中間色などに割り当てておけば、概色相軸の媒介変数を調整したときの効果を、ユーザーが容易に想起できる。
【００３６】
さらに、初期値選択機能を有する事で、複雑な調整を行なった後でもいつでもデフォルト状態に戻ることができるため、ユーザーが安心して調整をおこなうことができる。
【図面の簡単な説明】
【図１】一般的な色度図である。
【図２】本発明の色相の分割及び調整図である。
【図３】本発明のモニタリング時のメニュー表示を示す図である。
【図４】本発明の色変換調整時のメニュー表示を示す図である。
【図５】本発明のモニタタリング時のメニュー表示画面を示す図である。
【符号の説明】
１　色相軸ａ
２ａ、２ｂ、２ｃ、２ｄ、２ｅ、２ｆ　調整項目メニュー
３　カーソル
４　サブメニュー
４ａ　色調整モード
５　詳細設定メニュー画面
５ａ　選択色
５ｄ　色相
５ｅ　色彩
５ｆ　明度
５ｈ　スライドバー
【図１】
2004064198.tif 000003
【図２】
2004064198.tif 000004
【図３】
2004064198.tif 000005
【図４】
2004064198.tif 000006
【図５】
2004064198.tif 000007